(57)【特許請求の範囲】
【請求項１】
装置本体の操作部表面より窪んだ位置に設けられたタッチパネルと、前記タッチパネルの周辺縁部に形成され装置本体の内側へと通じるスリットと、前記スリットに挿入される挿入部が設けられた前記タッチパネルを覆うカバーシートとを具備し、前記挿入部は、前記カバーシートの一辺より突出した連結部に対して左右に広がる腕部が一体形成された略Ｔ字状を成し、前記腕部の全長が前記スリットの長さよりも長く設定されたことを特徴とする画像通信装置。
【請求項２】
前記タッチパネルは、前記装置本体の設置面に対して手前に傾斜する操作部の傾斜面に設けられ、かつ、前記スリットは、前記タッチパネルよりも上側に形成したことを特徴とする請求項１記載の画像通信装置。
【請求項３】
前記腕部は、前記連結部から左右に広がる一方の片腕部分の長さが他方の片腕部分の長さよりも長く設定され、かつ、前記腕部の全長から長く設定された一方の片腕部分の長さを除いた長さが前記スリットの幅よりわずかに短く設定されることを特徴とする請求項１又は請求項２記載の画像通信装置。
【請求項４】
前記スリットを通じて前記挿入部が挿入される装置本体内側の空間領域に突起部を設け、前記挿入部に前記突起部が嵌合される開口部を形成したことを特徴とする請求項１記載の画像通信装置。
【請求項５】
画像通信装置に設けられたタッチパネルを覆うカバー部と、前記タッチパネルの周辺縁部に形成され装置本体の内側へと通じるスリットに挿入される前記カバー部と一体形成された挿入部とを有したカバーシートであって、前記挿入部は、前記カバー部の一辺より突出した連結部に対して左右に広がる腕部が一体形成された略Ｔ字状を成し、前記腕部の全長が前記スリットの長さよりも長く設定されたことを特徴とするカバーシート。
【発明の詳細な説明】
【０００１】
【発明の属する技術分野】
本発明は、画像通信装置およびそれに用いるカバーシートに関する。
【０００２】
【従来の技術】
各種画像通信装置のうち、ワンタッチキーに登録した送信先情報等の誤認を防止するため、タッチパネル上に送信先情報等を表示または記入できるものがある。
【０００３】
この種の画像通信装置では、送信先情報等の表示等を保護するため、タッチパネルの表面をプラスチック等の可撓性を有する素材で形成されたカバーシートで覆っている。
【０００４】
このようなカバーシートは、ユーザが容易に送信先情報等を変更できるように、対向する辺に差込部を設け、その差込部をタッチパネル周辺に設けられたスリットに差し込む等の簡易な構造で画像通信装置に固定される。
【０００５】
図１２は、上述の簡易な構造を使用したカバーシートの一例である。図１２に示すカバーシート１２０１において、画像通信装置に対する取り付けの際、まず、ユーザは、差込部１２０２ａをタッチパネルの上方に設けられたスリットに差し込む。そして、ユーザは、カバーシート１２０１を上方に歪ませ、差込部１２０２ｂをタッチパネルの下方に設けられたスリットより上方に移動させる。その後、ユーザは、カバーシート１２０１の形状を元に戻し、差込部１２０２ｂをタッチパネルの下方に設けられたスリットに差し込む。このようにして、カバーシート１２０１は、画像通信装置に固定される。
【０００６】
【発明が解決しようとする課題】
しかしながら、従来のカバーシート１２０１においては、単に差込部１２０２ａ及び１２０２ｂをスリットに挿入して固定するという単純な構成であるため、ユーザが画像通信装置上でカバーシート１２０１の取り外しとは関係のない他の操作を行っている場合であっても、ユーザの手がカバーシート１２０１に触れると、カバーシート１２０１が簡単に外れるという問題がある。また、ユーザが送信先情報等を変更する場合、カバーシート１２０１を取り外した後に送信先情報等を変更する。このカバーシート１２０１を取り外す場合、ユーザは、取り付けの場合と同様に、カバーシート１２０１の形状を歪ませて画像通信装置から取り外す。この際、カバーシート１２０１が元の形状に戻ろうとする力によって、ユーザの手を離れ、画像通信装置からカバーシート１２０１が落下してしまうという問題がある。特に、タッチパネルが傾斜した状態で画像通信装置に設けられた場合、カバーシート１２０１は、更に落下しやすくなる。
【０００７】
一方、画像通信装置からカバーシート１２０１が落下するのを防止するため、複雑な構造で固定した場合には、カバーシート１２０１の取り外しに一定以上の時間を要してしまい、送信先情報等の変更が却って面倒になるという問題がある。
【０００８】
本発明は、かかる問題に鑑みてなされたものであり、送信先情報等を変更する場合に、画像通信装置から抜けにくく、かつ、容易に取り外すことができる画像通信装置およびそれに用いるカバーシートを提供することを目的とする。
【０００９】
【課題を解決するための手段】
本発明は、装置本体に設けたタッチパネルの周辺縁部に形成され装置本体の内側へと通じるスリットに、カバーシートの一辺より突出した連結部に対して左右に広がる腕部が一体形成された略Ｔ字状を成し、前記腕部の全長が前記スリットの長さよりも長く設定された挿入部を挿入し、カバーシートがタッチパネルから抜けないようにした。
【００１０】
【発明の実施の形態】
本発明の第１の態様の画像通信装置は、装置本体の操作部表面より窪んだ位置に設けられたタッチパネルと、前記タッチパネルの周辺縁部に形成され装置本体の内側へと通じるスリットと、前記スリットに挿入される挿入部が設けられた前記タッチパネルを覆うカバーシートとを具備し、前記挿入部は、前記カバーシートの一辺より突出した連結部に対して左右に広がる腕部が一体形成された略Ｔ字状を成し、前記腕部の全長が前記スリットの長さよりも長く設定されたことを特徴とする。
【００１１】
この構成によれば、装置本体に形成したスリットに、このスリットの幅より長い全長を有する腕部とこの腕部をカバーシート本体に連結する連結部とで構成した略Ｔ字状の挿入部が挿入される。このため、カバーシートが抜けようとする場合、装置本体の内部では、挿入部の腕部がスリットを形成する装置本体裏面に当接する。この結果、スリットからカバーシートが抜けるのを防止できる。また、前記挿入部は両側に腕部を有するＴ字形状とすることにより、この腕部を中心としてシートカバーが開閉するので、カバーシートを取り外すことなく、カバーシートを開いた状態にするだけで、タッチパネルの送信先表示用紙に表示された送信先情報等を書替える作業が容易となる。
【００１２】
本発明の第２の態様の画像通信装置は、第１の態様において、前記タッチパネルは、前記装置本体の設置面に対して手前に傾斜する操作部の傾斜面に設けられ、かつ、前記スリットは、前記タッチパネルよりも上側に形成した構成を採る。
【００１３】
この構成によれば、タッチパネルが装置本体の傾斜面に設けられ、スリットがこのタッチパネルより上側に設けられている。このような装置本体にカバーシートの挿入部がこのスリットに挿入され、カバーシートがこのタッチパネル上に載置される。このとき、カバーシートの挿入部の腕部は、スリットの幅よりも長く設けられている。このため、カバーシートは、傾斜面に沿って下方に自重がかかるが、装置本体の内部では、挿入部の腕部がスリットを形成する装置本体裏面に当接する。この結果、スリットからカバーシートが落下するのを防止できる。
【００１４】
本発明の第３の態様の画像通信装置は、第１の態様又は第２の態様において、前記腕部は、前記連結部から左右に広がる一方の片腕部分の長さが他方の片腕部分の長さよりも長く設定され、かつ、前記腕部の全長から長く設定された一方の片腕部分の長さを除いた長さが前記スリットの幅よりわずかに短く設定される構成を採る。
【００１５】
この構成によれば、挿入部の腕部は、連結部から突出した一方の片腕部分の長さが他方の片腕部分の長さよりも長く設定され、かつ、腕部の全長から長く設定された一方の片腕部分の長さを除いた長さが装置本体に形成されたスリットの幅よりもわずかに短く設定されている。このため、長く設定された一方の片腕部分を斜めに連結部の一方の端部に当接するまで挿入した状態で、他方の片腕部分をスリットに挿入するように挿入部を回転させると、他方の片腕部分を装置本体に干渉させることなく、挿入部をスリットに挿入することができる。この結果、容易にカバーシートの挿入部をスリットに挿入することができ、挿入部をスリットに挿入する際に挿入部が破損するのを防止できる。
【００１６】
本発明の第４の態様の画像通信装置は、第１の態様において、前記スリットを通じて前記挿入部が挿入される装置本体内側の空間領域に突起部を設け、前記挿入部に前記突起部が嵌合される開口部を形成した構成を採る。
【００１７】
この構成によれば、スリットよりも装置本体の内側の挿入部が挿入される空間領域に設けられた突起部が嵌合する開口部が挿入部に形成されている。これにより、挿入部をスリットに挿入し、カバーシートを所定の位置に位置合わせすると、開口部に突起部が嵌合する。このため、挿入部の腕部だけでカバーシートの抜けを防止する場合に比べて、スリットからのカバーシートの抜けを更に確実に防止できる。
【００１８】
本発明の第５の態様のカバーシートは、画像通信装置に設けられたタッチパネルを覆うカバー部と、前記タッチパネルの周辺縁部に形成され装置本体の内側へと通じるスリットに挿入される前記カバー部と一体形成された挿入部とを有したカバーシートであって、前記挿入部は、前記カバー部の一辺より突出した連結部に対して左右に広がる腕部が一体形成された略Ｔ字状を成し、前記腕部の全長が前記スリットの長さよりも長く設定されたことを特徴とする。
【００１９】
この構成によれば、画像通信装置本体に形成したスリットに、このスリットの幅より長い全長を有する腕部とこの腕部をカバーシート本体に連結する連結部とで構成した略Ｔ字状のカバーシートの挿入部が挿入される。このため、カバーシートが抜けようとする場合、画像通信装置本体の内部では、挿入部の腕部がスリットを形成する画像通信装置本体裏面に当接する。この結果、スリットからカバーシートが抜けるのを防止できる。
【００２０】
以下、本発明の実施の形態について、図面を参照して詳細に説明する。
【００２１】
図１は、本発明の一実施の形態に係るファクシミリ装置に使用されるカバーシートの拡大図である。図２は、本発明の一実施の形態に係るファクシミリ装置の全体図である。
【００２２】
図２に示すファクシミリ装置２００において、装置本体２０１の上面部に、原稿２０２が載置され、装置本体の内部に組み込まれた読取部に導入する原稿台２０３が設けられている。原稿台２０３よりも手前側には操作パネル２０４が設けられている。操作パネル２０４の左側には、送信先の宛先番号を入力するためのダイヤルキー２０５が設けられている。また、操作パネル２０４の中央には、表示部２０６が設けられ、その下方には、送信指示キー２０７およひコピー指示キー２０８が並設されている。さらに、操作パネル２０４の右側には、タッチパネル２０９が設けられている。操作パネル２０４は、奥側から手前側に向かって傾斜しているので、タッチパネル２０９も同様に傾斜している。タッチパネル２０９には、複数のワンタッチキー２０９ａが配列されている。各ワンタッチキー２０９ａには、送信先がそれぞれ登録されている。タッチパネル２０９には、図示しない送信先表示用紙が載置されている。送信先表示用紙には、登録された送信先が各ワンタッチキー２０９ａに対応する位置に表示されている。
【００２３】
図３は、操作パネル２０４に設けられたタッチパネル２０９周辺の拡大図である。図３に示すように、タッチパネル２０９は、操作パネル２０４の表面よりもわずかに凹んだ位置に設けられている。操作パネル２０４のタッチパネル２０９を取り囲む部分において、操作パネル２０４とタッチパネル２０９とをタッチパネル縁部２０４ａで連結している。タッチパネル縁部２０４ａの上辺部および下辺部には、第１スリット２０４ａ−１および第２スリット２０４ａ−２が形成されている。第１スリット２０４ａ−１は、タッチパネル縁部２０４ａの上辺部の中央よりやや右側に形成されている。第２スリット２０４ａ−２は、下辺部の略中央に形成されている。
【００２４】
図４は、操作パネル２０４の第１スリット２０４ａ−１の近傍部分を裏面側から見た図である。図４に示すように、第１スリット２０４ａ−１の内側の操作パネル２０４の裏面側に三角リブ２０４ａ−３が設けられている。三角リブ２０４ａ−３は、操作パネル２０４の裏面側にスリット２０４ａ−１よりわずかに装置本体２０１の奥側の位置に設けられている。三角リブ２０４ａ−３は、ファクシミリ装置２００の側面側から見た場合に操作パネル２０４の裏面に一辺が接している略三角形の断面形状をなしている。この三角リブ２０４ａ−３の装置本体２０１の奥側の辺は、操作パネル２０４の裏面に対して略直角になっている。このため、三角リブ２０４ａ−３の手前側の一辺は、装置本体２０１の奥側から手前側に向かって傾斜している。
【００２５】
そして、このようなタッチパネル２０９の表面全域を覆うように、カバーシート１０１が設けられている。図１に示すように、カバーシート１０１は、ＰＣポリカーボネート等の可撓性を有する素材で形成されている。カバーシート１０１は、タッチパネルカバー部１０２、挿入部１０３および差込部１０４から構成される。このようなカバーシート１０１は、例えば、プラスチックシートを型抜きすることにより形成される。このため、タッチパネルカバー部１０２、挿入部１０３および差込部１０４は、一体でかつすべて同一平面内に位置する。
【００２６】
タッチパネルカバー部１０２の寸法は、タッチパネル２０９の全域を覆えるほど大きいが、上述の操作パネル２０４のタッチパネル縁部２０４ａが囲む領域よりわずかに小さく設定されている。また、タッチパネル２０９上にタッチパネルカバー部１０２を載置したとき、ワンタッチキー２０９ａを覆う位置に半透明部１０５が設けられている。これにより、タッチパネル２０９に載置された送信先表示用紙のワンタッチキー２０９ａに対応する部分がこの半透明部１０５からユーザに見える。
【００２７】
挿入部１０３は、タッチパネルカバー部１０２の上辺から突出して設けられている。挿入部１０３は、略Ｔ字形をなし、上述の上辺から略垂直に伸びた連結部１０３ａとこの連結部１０３ａに対して直交する腕部１０３ｂで構成されている。挿入部１０３は、上述の第１スリット２０４ａ−１に対応して上辺中央よりやや右よりに設けられている。
【００２８】
挿入部１０３の腕部１０３ｂの全長は、上述のタッチパネル縁部２０４ａの上辺に形成した第１スリット２０４ａ−１よりも長く設定されている。また、腕部１０３ｂは、連結部１０３ａから突出する部分の長さが異なる。この例では、左腕部１０３ｂ−１の長さが右腕部１０３ｂ−２よりも長く設定されている。また、第１スリット２０４ａ−１の幅は、挿入部１０３の腕部１０３ｂの全長から、右腕部１０３ｂ−１より短く設定された左腕部１０３ｂ−２の長さを除いた長さよりわずかに長く設定されている。さらに、挿入部１０３の略中央には、開口部１０３ｃが設けられている。開口部１０３ｃは、上述の三角リブ２０４ａ−３を内部に挿入し得る大きさに設けられている。
【００２９】
差込部１０４は、図１に示すように、タッチパネルカバー部１０２の下辺の中央部分から突出して設けられている。差込部１０４は、全長にわたって略同一の幅で設けられている。差込部１０４の先端部分は、角部分が丸められている。
【００３０】
上述のカバーシート１０１は、次のように、ファクシミリ装置２０１に取り付けられる。
【００３１】
図５は、カバーシート１０１の挿入部１０３を第１スリット２０４ａ−１に挿入する直前のカバーシート１０１を示した図である。まず、挿入部１０３を第１スリット２０４ａ−１に挿入する。具体的には、カバーシート１０１を左に傾けて、第１スリット２０４ａ−１に右下方向から左上方向に、すなわち、図５に示す矢印の方向に動かして左腕部１０３ｂ−１を第１スリット２０４ａ−１に挿入する。
【００３２】
図６は、挿入部１０３の左腕部１０３ｂ−１を第１スリット２０４ａ−１に挿入した状態を示す図である。図６に示すように、挿入部１０３の左腕部１０３ｂ−１は、連結部１０３ａの左端部Ｘが第１スリット２０４ａ−１の左端部に当接するまで挿入される。その後、この連結部１０３ａの左端部Ｘを支点として、挿入部１０３の右腕部１０３ｂ−２を押し上げるようにして、図６に示す矢印の方向に回転させる。すると、第１スリット２０４ａ−１の幅は、挿入部１０３の腕部１０３ｂの全長から左腕部１０３ｂ−１の長さを除いた長さよりわずかに長く設定されているので、右腕部１０３ｂ−２を装置本体に干渉させることなく、挿入部１０３の全体を第１スリット２０４ａ−１に挿入することができる。これにより、挿入部１０３を第１スリット２０４ａ−１に挿入する際、挿入部１０３を破損させるのを防止できる。
【００３３】
図７は、挿入部１０３を第１スリット２０４ａ−１に挿入した場合のカバーシート１０１を示す図である。図７に示すように、挿入部１０３を第１スリット２０４ａ−１に挿入した後、カバーシート１０１をタッチパネル２０９上の所定位置に位置合わせする。すなわち、シートカバー１０１のタッチパネルカバー部１０２がタッチパネル縁部２０４ａにちょうど収まるように位置合わせする。より具体的には、連結部１０３ａの左端部Ｘが第１スリット２０４ａ−１の左端部に当接した状態から少しだけ右側にずらして、タッチパネルカバー部１０２の側縁部をタッチパネル縁部２０４ａの両側端部に一致させる。
【００３４】
上述のように、位置合わせした場合、挿入部１０３の右腕部１０３ｂ−２は、第１スリット２０４ａ−１の右端部より右側に移動している。また、左腕部１０３ｂ−１は、第１スリット２０４ａ−１の左端部より左側に位置している。すなわち、挿入部１０３の腕部１０３ｂの両端部は、第１スリット２０４ａ−１の両端部よりも外側に位置している。これにより、左腕部１０３ｂ−１および右腕部１０３ｂ−２は、タッチパネル縁部２０４ａの上辺部裏面に当接する。この結果、挿入部１０３、この状態では、下方向にまっすぐ引っ張られても抜け難い。また、挿入部１０３が一旦第１スリット２０４ａ−１に挿入されると、挿入部１０３は、左腕部１０３ｂ−１および右腕部１０３ｂ−２を有する略Ｔ字形状をしているので、カバーシートは、この左腕部１０３ｂ−１および右腕部１０３ｂ−２を中心に開閉自在となり、これにより、カバーシート１０１を取り外すことなく、カバーシート１０１を開いた状態にするだけで、タッチパネル２０９の送信先表示用紙に表示された送信先情報等を書替える作業を容易にすることができる。
【００３５】
次に、カバーシート１０１の挿入部１０３と操作パネル２０４の裏面に設けられた三角リブ２０４ａ−３との関係について説明する。図８は、図５から図７におけるカバーシート１０１の挿入部１０３と三角リブ２０４ａ−３との関係を示した断面図である。
【００３６】
図８に示すように、挿入部１０３は、上述した第１スリット２０４ａ−１への位置合わせまで、三角リブ２０４ａ−３と干渉しないように傾斜した状態で取り扱う。すなわち、第１スリット２０４ａ−１へ挿入する際、タッチパネルカバー部１０２の下端部をタッチパネル２０９から十分離した状態、すなわち、挿入部１０３を傾斜した状態で挿入部１０３を三角リブ２０４ａ−３より奥側に向かって挿入する。また、カバーシート１０１を位置合わせする際も、挿入部１０４を傾斜した状態でスライドする。
【００３７】
そして、上記位置合わせが完了した後、タッチパネルカバー部１０２の下端部をタッチパネル２０９上に載置する。このとき、三角リブ２０４ａ−３は、挿入部１０３の開口部１０３ｃの上方に位置しているので、三角リブ２０４ａ−３は、開口部１０３ｃに入り込む。すなわち、図９に示すように、挿入部１０３に設けられた開口部１０３ｃに嵌合する。これにより、カバーシート１０１が可撓性を有する素材で形成されている場合であっても、三角リブ２０４ａ−３が挿入部１０３の開口部１０３ｃに嵌合することによって、挿入部１０３がたわむのを防ぐので、カバーシート１０１が第１スリット２０４ａ−１から抜けるのを確実に防止できる。
【００３８】
上述のように、カバーシート１０１の挿入部１０３を第１スリット２０４ａ−１に挿入し、位置合わせが終了した後、差込部１０４を第２スリット２０４ａ−２に差し込む。図１０は、カバーシート１０１の差込部１０４を第２スリット２０４ａ−２に差し込む直前のカバーシート１０１を示した図である。
【００３９】
図１０に示すように、カバーシート１０１の下方部を上方に歪ませ、差込部１０３を第２スリット２０４ａ−２の上方まで移動し、第２スリット２０４ａ−２に差し込む。この結果、カバーシート１０１は、図１１に示すような状態となり、カバーシート１０１の取り付けが完了する。
【００４０】
このように、本実施の形態のファクシミリ装置２００によれば、ファクシミリ装置２００のタッチパネル縁部２０４ａの上辺部に第１スリット２０４ａ−１を設ける。そして、この第１スリット２０４ａ−１の幅より長く設けられた腕部１０３ｂを有するカバーシート１０１の挿入部１０３をこの第１スリット２０４ａ−１に挿入する。挿入部１０３が挿入され、所定の位置に位置合わせされると、挿入部１０３の腕部１０３ｂの両端部は、第１スリット２０４ａ−１の端部より外側に位置している。これにより、挿入部１０３の腕部１０３ｂの両端部は、タッチパネル縁部２０４ａの上辺部裏面に当接する。この結果、挿入部１０３は、第１スリット２０４ａ−１から容易に抜けなくなるので、カバーシート１０１が落下するのを防止できる。
【００４１】
また、本実施の形態のファクシミリ装置２００によれば、挿入部１０３の腕部１０３ｂは、左腕部１０３ｂ−１の長さが右腕部１０３ｂ−２よりも長く設定されている。そして、第１スリット２０４ａ−１の幅は、挿入部１０３の腕部１０３ｂの全長から、長く設定された左腕部１０３ｂ−１の長さを除いた長さよりわずかに長くなっている。したがって、連結部１０３ａの左端部Ｘが第１スリット２０４ａ−１の左端部に当接するまで挿入した状態で、挿入部１０３を図６に示す矢印の方向に回転させると、右腕部１０３ｂ−２がタッチパネル縁部２０４ａに干渉することなく容易に第１スリット２０４ａ−１に挿入されるので、カバーシート１０１の挿入部１０３を容易に第１スリット２０４ａ−１に挿入することができる。
【００４２】
また、カバーシート１０１の挿入部１０３の略中央には、開口部１０３ｃが設けられている。一方、ファクシミリ装置２００には、第１スリット２０４ａ−１の内側の操作パネル２０４の裏面側に三角リブ２０４ａ−３が設けられている。挿入部１０３が第１スリット２０４ａ−１に挿入され、タッチパネル縁部２０４ａに対してタッチパネルカバー部１０２を位置合わせすると、開口部１０３ｃに三角リブ２０４ａ−３が入り込む。これにより、カバーシート１０１が落下しようとした場合に、三角リブ２０４ａ−３の上辺部に開口部１０３ｃの上辺部が当接する。この結果、挿入部１０３の腕部１０３ｂだけでカバーシート１０１の落下を防止する場合に比べて、挿入部１０３は、第１スリット２０４ａ−１から更に抜けなくなるので、カバーシート１０１が落下するのを一層防止できる。
【００４３】
また、タッチパネル縁部２０４ａに対してタッチパネルカバー部１０２を位置合わせする際には、開口部１０３ｃに三角リブ２０４ａ−３を嵌合させることにより、シートカバー１０１をタッチパネル縁部２０４ａ内に位置合わせすることもできる。これにより、タッチパネルカバー部１０２がタッチパネル縁部２０４ａに収まるように位置合わせされるまで目で確認するのではなく、三角リブ２０４ａ−３が開口部１０３ｃに嵌合する感触で位置合わせすることができるので、容易にカバーシート１０１を取り付けることができる。
【００４４】
また、挿入部１０３が挿入され、カバーシート１０１が所定の位置に位置合わせされると、挿入部１０３の腕部１０３ｂの両端部は、第１スリット２０４ａ−１の端部より外側に位置している。このため、挿入部１０３の開口部１０３ｃと三角リブ２０４ａ−３との当接する点を支点として、カバーシート１０１を開閉することができる。この結果、カバーシート１０１を取り除くことなく、カバーシート１０１を開いた状態にするだけで、タッチパネル２０９の送信先表示用紙に表示された送信先情報等を容易に書替えることができる。
【００４５】
本実施の形態では、ファクシミリ装置２００のタッチパネル縁部２０４ａの上辺部に形成された第１スリット２０４ａ−１を設け、その第１スリット２０４ａ−１にカバーシート１０１の挿入部１０３を挿入するファクシミリ装置２００について説明した。しかし、タッチパネル縁部２０４ａの上辺部に第１スリット２０４ａ−１を設けず、タッチパネル縁部２０４ａの任意の辺部にスリットを設けたファクシミリ装置に変更してもよい。
【００４６】
【発明の効果】
以上説明したように、本発明によれば、装置本体に形成したスリットに、このスリットよりも全長が長い腕部を有するＴ字形状のカバーシートの挿入部を挿入しているので、画像通信装置から抜けにくく、一方、送信先情報等を変更する場合に容易にカバーシートを取り外すことができる。
【図面の簡単な説明】
【図１】本発明の一実施の形態に係るファクシミリ装置に使用されるカバーシートの拡大図
【図２】上記実施の形態に係るファクシミリ装置の全体斜視図
【図３】上記実施の形態に係るファクシミリ装置のタッチパネルの拡大図
【図４】上記実施の形態に係るファクシミリ装置の内部拡大図
【図５】上記実施の形態に係るファクシミリ装置に使用されるカバーシートの取付工程図
【図６】上記実施の形態に係るファクシミリ装置に使用されるカバーシートの取付工程図
【図７】上記実施の形態に係るファクシミリ装置に使用されるカバーシートの取付工程図
【図８】上記実施の形態に係るファクシミリ装置の断面図
【図９】上記実施の形態に係るファクシミリ装置の断面図
【図１０】上記実施の形態に係るファクシミリ装置に使用されるカバーシートの取付工程図
【図１１】上記実施の形態に係るファクシミリ装置に使用されるカバーシートの取付工程図
【図１２】従来のファクシミリ装置に使用されるカバーシートの拡大図
【符号の説明】
１０１  カバーシート
１０２  タッチパネルカバー部
１０３  挿入部
１０３ａ  連結部
１０３ｂ  腕部
１０３ｃ  開口部
１０４  差込部
２００  ファクシミリ装置
２０４  操作パネル
２０４ａ  タッチパネル縁部
２０４ａ−１  第１スリット
２０４ａ−２  第２スリット
２０４ａ−３  三角リブ
２０９  タッチパネル
【図１】
0004146563.tif 000002
【図２】
0004146563.tif 000003
【図３】
0004146563.tif 000004
【図４】
0004146563.tif 000005
【図５】
0004146563.tif 000006
【図６】
0004146563.tif 000007
【図７】
0004146563.tif 000008
【図８】
0004146563.tif 000009
【図９】
0004146563.tif 000010
【図１０】
0004146563.tif 000011
【図１１】
0004146563.tif 000012
【図１２】
0004146563.tif 000013